(57)【特許請求の範囲】
【請求項１】
巻線が捲回されたコア部をフレームの中心部に設け、このコア部により回転駆動される羽根部を、前記コア部の外側の前記フレーム内に配置して成る軸流ファンにおいて、前記コア部に交熱的に添設された温度検出素子と、フレームの一面の端部間に渡って取り付けられ当該フレーム一面の中心部を通過する保持板と、前記中心部に位置する前記保持板に形成された透孔とを備え、温度検出素子を前記透孔内に配置して保持板に保持させると共に、前記コア部に交熱的に当接させ、温度検出素子が検出する前記コア部の温度が所定の上限値に達した場合に軸流ファンへの通電を断つことを特徴とする軸流ファンの保護装置。
【発明の詳細な説明】
【０００１】
【発明の属する技術分野】
本発明はショーケース或いは冷蔵庫等のクーリングファン若しくはコンデンシングファンファンなどとして使用される軸流ファンの保護装置に関するものである。
【０００２】
【従来の技術】
従来よりオープンショーケースにおいては、例えば特開平６−８２１４３号公報（Ｆ２５Ｄ１７／０６）に示される如く種々の送風機が使用されている。特に、コアの中心に固定子巻線が設けられ、鉄心の中心からずれたところに短絡環（くま取りコイル）が設けられたくま取りモータから構成される所謂軸流ファンは、他の誘導モータに比較してくま取りコイルの発熱によるロスが大きく、軸流ファンのモータに異物が混入した場合、軸流ファンの回転不良、停止、或いは、ロックが生じ易い。
【０００３】
そのため、埃などの多い場所、外気を導入するような箇所、見え難い場所等では使用し難い。係る従来の軸流ファン２を図２に示す。この図において３はフレーム、４は図示しないくま取り巻線が捲回されたコア部、５はコア部により回転駆動される羽根部、１１は電源コードである。そして、コア部４はフレーム３の中心部に配置され、羽根部５はその周囲のフレーム３内に位置してコア部４により回転駆動される。
【０００４】
そして、係る軸流ファン２は発熱などによる回転不良、停止、或いは、ロックしてしまう等の不都合を防止するため、従来ではその保護装置としてインピーダンスプロテクト方式（軸流ファン２のコア部４に捲回された巻線抵抗によって軸流ファン２の異常発熱を抑える方式）が用いられていた。
【０００５】
【発明が解決しようとする課題】
しかしながら、係るインピーダンスプロテクト方式による保護装置では、軸流ファン２がロックしてから７２時間経過後、発火等の異常が発生しなければよいとする規格に基づく保護であったため、軸流ファン２のコア部４に捲回された巻線が限界温度を超えてしまう場合が多く、半年、１年と長期に渡る使用には保護装置としては不完全であった。
【０００６】
また、ショーケースの天井面に取り付けられて開口部にエアーカーテンを形成するために用いられる軸流ファンでは、日常点検されることが少なく、仮にロックしていても発見され難い。このため、軸流ファンに発火が生じて初めて異常に気づく場合もあった。
【０００７】
本発明は係る従来技術の課題を解決するために成されたものであり、軸流ファンの異常による温度上昇を早期且つ確実に検出して保護できる保護装置を提供することを目的とする。
【０００８】
【課題を解決するための手段】
即ち、本発明の軸流ファンの保護装置は、巻線が捲回されたコア部をフレームの中心部に設け、このコア部により回転駆動される羽根部を、コア部の外側のフレーム内に配置して成るものであって、コア部に交熱的に添設された温度検出素子と、フレームの一面の端部間に渡って取り付けられ当該フレーム一面の中心部を通過する保持板と、中心部に位置する保持板に形成された透孔とを備え、温度検出素子を透孔内に配置して保持板に保持させると共に、コア部に交熱的に当接させ、温度検出素子が検出するコア部の温度が所定の上限値に達した場合に軸流ファンへの通電を断つものである。
【０００９】
【発明の実施の形態】
次に、図面に基づき本発明の実施形態を詳述する。図１は本発明を適用する軸流ファン２の裏面図を示している。尚、この図において図２と同一符号で示すものは同一のものとする。
【００１０】
実施例の軸流ファン２は図示しないオープンショーケースや冷蔵庫等に設けられるもので、３はフレームであり、このフレーム３は略四角形状に成形され、中心部にはくま取り巻線（図示せず）が捲回されたくま取りモータから成るコア部４が配置され、フレーム３の四隅から中心に向けて延在する桟３Ａ・・・の先端（フレーム３の中心）に保持されている。
【００１１】
コア部４の周囲にはそれによって回転駆動される羽根部５が配置され、フレーム３内に収納されている。コア部４の背面となるフレーム３には、右上隅から左下隅に至る対角線上に縦長略矩形状鋼板から成る保持板６が取り付けられており、この保持板６は右上及び左下の桟３Ａ、３Ａに略沿って設けられている。また、この保持板６の略中央には保持板６を貫通するよう切り起こし形成された透孔７（貫通孔）が設けられている。
【００１２】
透孔７は後述する温度検出素子を挿入可能な大きさに形成されると共に、透孔７の長手方向両側には透孔７内側より保持板６に略垂直に折り曲げられた所定の高さ寸法（温度検出素子よりも少許高い寸法）の切り起し片８、８が形成される。
【００１３】
そして、保持板６がフレーム３に対角線に取り付けられた状態で、保持板６の略中央に透孔７が位置し、この透孔７はコア部４の背面に対応する。そして、この透孔７内には温度検出素子としての温度ヒューズ９が挿入され、粘着テープ１２等によって保持板６に固定される。
【００１４】
この温度ヒューズ９は切り起し片８、８間に挿入されると共に、コア部４の裏面に交熱的に添設される。これによって、コア部４の温度は温度ヒューズ９にて検出される。
【００１５】
温度ヒューズ９にはリード線１０が接続されており、このリード線１０の両端には軸流ファン２の図示しない給電回路に接続されている。温度ヒューズ９はコア部４の温度が所定の上限値（軸流ファン２が損傷しない上限温度、或いは、発熱により発火しない上限温度）に達した場合に、軸流ファン２の給電回路を遮断できるように電気回路に接続されている。
【００１６】
そして、オープンショーケースや冷蔵庫などが運転されて軸流ファン２が回転され、塵埃などが詰まってロックが発生すると、大なるロック電流がコア部４の巻線に流れるため、その温度は上昇する。
【００１７】
すると、コア部４に交熱的に添設された温度ヒューズ９がそれを検知し、前記上限値に達した場合には、温度ヒューズ９は開路して軸流ファン２への通電を断ち、軸流ファン２の運転を停止させる。
【００１８】
このように、軸流ファン２のコア部４に温度ヒューズ９を交熱的に取り付け、この温度ヒューズ９が検知したコア部４の温度が所定の上限値に達した場合、軸流ファン２への通電を遮断するようにしているので、軸流ファン２に塵埃などの異物が詰まってロックした場合などでも、コア部４の温度上昇による巻線の発煙或いは発火を生じる以前に運転を停止することができるようになる。
【００１９】
特に、フレーム３の裏面の端部間に渡り対角線上に沿って保持板６を取り付け、フレーム３の中心部を通過させると共に、フレーム３の中心部に位置する保持板６に透孔７を形成し、温度ヒューズ９をこの透孔７内に配置して保持板６に保持させ、コア部４に交熱的に当接させる構造を採っているので、温度ヒューズ９は安定的に保持され、且つ、コア部４の温度を確実に検知できるようになると共に、軸流ファン２の運転自体に支障を生じさせることも無くなる。
【００２０】
また、保持板６は桟３Ａ、３Ａに沿って配置されているので、通風抵抗の増大も最小限に抑えられている。
【００２１】
尚、実施例では温度ヒューズ９を使用したが、温度検出素子としてバイメタルサーモ（９Ａで示す）を使用しても良い。その場合にはコア部４の温度が上限値に達した場合には回路を開いて通電を断ち、異常が解消された場合には、再び回路を閉じて運転を開始することが可能となる。
【００２２】
【発明の効果】
以上詳述した如く本発明によれば、巻線が捲回されたコア部をフレームの中心部に設け、このコア部により回転駆動される羽根部を、コア部の外側のフレーム内に配置して成る軸流ファンにおいて、コア部に交熱的に温度検出素子を添設し、この温度検出素子が検出するコア部の温度が所定の上限値に達した場合に軸流ファンへの通電を断つようにしているので、コア部の温度上昇に基づいて軸流ファンの運転を停止させることができる。
【００２３】
これにより、軸流ファンに異物が混入してロックした場合などに、コア部の温度上昇によって係る異常を的確に検知し、巻線からの発煙・発火に至る不都合を未然に回避することが可能となるものである。
【００２４】
また、上記に加えてフレームの一面の端部間に渡って保持板を取り付け、フレーム一面の中心部を通過させると共に、フレームの中心部に位置する保持板に透孔を形成し、温度検出素子をこの透孔内に配置して保持板に保持させ、コア部に交熱的に当接させているので、温度検出素子は安定的に保持され、且つ、コア部の温度を確実に検知できるようになると共に、軸流ファンの運転自体に支障を生じさせることも無くなる。
【図面の簡単な説明】
【図１】  本発明の保護装置を取り付けた軸流ファンの裏面図である。
【図２】  従来の軸流ファンの裏面図である。
【符号の説明】
２  軸流ファン
３  フレーム
４  コア部
５  羽根部
６  保持板
７  透孔
９  温度ヒューズ
【図１】
0003738151.tif 000002
【図２】
0003738151.tif 000003